(57)【特許請求の範囲】
【請求項１】
建物の屋根等に降った雨水を雨水集水管を介して貯水タンクに貯水し、貯水タンクに貯水された雨水を散水器を介して散水するようにした雨水散水装置において、雨水を貯留するもので雨水集水管の途中に設けられた貯留部をもつ貯留構造と、この貯留部をもつ貯留構造内に設けられ且つ水中で殺菌効果のある金属イオンを発生する銀または銅で作られた金属電極とを備え、前記貯留部をもつ貯留構造内に雨水が貯水され、水位センサーが一定水位以上となったことを検出すると、前記金属電極に通電し、前記金属電極を前記水位センサーに兼用したことを特徴とする雨水散水装置。
【請求項２】
貯水タンクの雨水入り口にごみ除けフィルターを設け、前記ごみ除けフィルターを銀または銅で形成した請求項１記載の雨水散水装置。
【発明の詳細な説明】
【技術分野】
【０００１】
本発明は、建物の屋根等に降った雨水を雨水集水管を介して貯水タンクに貯水し、貯水タンクに貯水された雨水を散水器を介して散水するようにした雨水散水装置に関する。
【背景技術】
【０００２】
本特許出願人はこの種の雨水散水装置として、雨水を貯水する貯水タンクと、この貯水タンク内の雨水を循環させながら浄化する浄化装置と、この浄化装置により浄化された雨水を室外機又は建築物に散水する散水器とを設けたものを提案している（特許文献１参照）。
【０００３】
このものでは、雨水を浄化して使用するので、従来の水道水を利用するものに比べて水道代を節約でき、経済的で衛生的な散水を行える利点がある。
【先行技術文献】
【特許文献】
【０００４】
【特許文献１】特願２００８−１７４７５０号に添付された特許請求の範囲、明細書及び図面
【発明の概要】
【発明が解決しようとする課題】
【０００５】
しかしながら、貯水タンクに溜まった雨水を浄化装置に循環しながら浄化するので、装置がコスト高になるとともに貯水タンクの雨水を浄化するのに時間がかかり、浄化されないまま散水される心配があった。
【０００６】
そこで本発明は、前述した問題点に鑑み、貯水タンクに貯留される雨水が確実に浄化されるようにすることを目的とする。
【課題を解決するための手段】
【０００９】
このため第１の発明は、建物の屋根等に降った雨水を雨水集水管を介して貯水タンクに貯水し、貯水タンクに貯水された雨水を散水器を介して散水するようにした雨水散水装置において、雨水を貯留するもので雨水集水管の途中に設けられた貯留部をもつ貯留構造と、この貯留部をもつ貯留構造内に設けられ且つ水中で殺菌効果のある金属イオンを発生する銀または銅で作られた金属電極とを備え、前記貯留部をもつ貯留構造内に雨水が貯水され、水位センサーが一定水位以上となったことを検出すると、前記金属電極に通電し、前記金属電極を前記水位センサーに兼用したことを特徴とする
【００１０】
第２の発明は、第１の発明において、貯水タンクの雨水入り口にごみ除けフィルターを設け、前記ごみ除けフィルターを銀または銅で形成したことを特徴とする。
【発明の効果】
【００１６】
本発明によれば、金属電極を水位センサーに兼用する。また、貯水タンクに貯められる雨水に対して、貯水タンクに流入する前に、殺菌効果のある金属イオンを混入させることができるため、貯水タンクの中で菌や藻が増殖する心配がなく、雨水を確実に浄化してから散水することができ、経済的で衛生的な散水を行うことができる。また、請求項２に係る発明によれば、貯水タンクに流入する雨水に殺菌効果のある金属イオンを混入させるものである。
【図面の簡単な説明】
【００１７】
【図１】本発明の実施の形態の説明に適用される雨水散水装置の概略構成説明図である。
【図２】同じく雨水散水装置の要部構造説明図である。
【図３】同じく雨水散水装置の要部構造の他の一例を示す説明図である。
【図４】同じく雨水散水装置の要部構造の他の一例を示す説明図である。
【図５】同じく雨水散水装置の要部構造の他の一例を示す説明図である。
【図６】本発明の実施の形態の説明に適用される雨水散水装置の他の一例を示す概略構成説明図である。
【発明を実施するための形態】
【００１８】
以下、例えば店舗に設置される低温ショーケースや店舗内の空調をするための空気調和装置などの空気調和装置の室外機に散水して冷却する雨水散水装置に係る本発明を実施するための最良の形態について、図１乃至図６を参照しながら説明する。
【００１９】
図１において、１は建物２の屋根３に降った雨水を集水して排水するための雨樋（雨水集水管）であり、この雨樋１で集められた雨水は貯水タンク４に貯留されるようにしてある。そして、貯水タンク４の雨水は送水管５から散水器６に送水され、空気調和装置の室外機７に散水されるようにし、空気調和装置の省エネ効果を高めるようにしている。この散水器６による散水は、手動又は自動的に行われるようにしてもよく、自動的に散水する例としては、定期的に、例えば１日に１回以上、所定時間、散水するようにしてもよい。なお、本発明における散水には、噴霧及び間欠滴下も含む概念である。
【００２０】
そして、雨樋１の途中の曲がり角部には雨水を一時的に貯留する雨水トラップ８が設けられ、この雨水トラップ８にはオゾン供給装置９が併設されている。このオゾン供給装置９は、図２に示すように、エアーポンプ１０と、このエアーポンプ１０からの圧縮空気と共に発生させたオゾンを雨水トラップ８内に供給管を介して供給するオゾナイザ１１と、雨水トラップ８内の上部に取り付けられたフロート式の水位センサー１２と、雨水トラップ８への雨水の流入により水位センサー１２が所定の水位を検出した時にエアーポンプ１０及びオゾナイザ１１を作動させるマイクロコンピュータ等の制御装置１３とからなる。
【００２１】
そして、雨が建物２の屋根３に落ちて、雨水は雨樋１に集水され、雨水トラップ８に一時貯留される。そして、雨水トラップ８の水位が上昇して水位センサー１２が所定水位を検出すると、制御装置１３がエアーポンプ１０及びオゾナイザ１１を作動させ、雨水トラップ８内に貯留された雨水にオゾン（気体）が混入され、オゾンが混入された雨水が雨水トラップ８から溢れ出て貯水タンク４に流入して、貯水される。
【００２２】
このように貯水タンク４に貯水される雨水には雨樋１の途中に設けられた雨水トラップ８でオゾンが混入されるため、貯水タンク４に貯留される雨水はオゾンにより確実に殺菌・浄化され、貯水タンク４内でレジオネラ菌等の菌や藻が繁殖しないようにできる。よって、雨水を利用して経済的で衛生的な散水を行うことができる。
【００２３】
上述したオゾン混入による雨水の浄化は塩素系薬剤の注入による浄化のようにトリハロメタンが生成されないため、環境や健康に影響を与える心配がなく、薬剤を定期的に補給する手間もないなど、メンテナンスも容易である。
【００２４】
なお、雨水トラップ８の水位を水位センサー１２で検出し、オゾン発生装置９を作動させるようにしたが、雨樋１に流水センサー（図示せず）を設け、流水センサーが流水を検知した時にオゾン発生装置９を作動させるようにしてもよい。また、貯水タンク４の藻の発生は光合成によるものであるから、貯水タンク４を例えば黒色のポリエチレン樹脂の三層構造にして作製して、紫外線を含む光が貯水タンク４内に入らないようにすると、より効果的である。
【００２５】
雨水トラップ８で雨水を浄化する方法としては、オゾンを混入する代わりに、図３に示すように、水中で殺菌効果のある金属イオンを発生する銀や銅等の金属で作られた金属電極１４を雨水トラップ８内に設け、雨水トラップ８の水位が上昇した時、若しくは雨樋１に流水があった時に金属電極１４に通電するようにしても良い。
【００２６】
この場合、雨水トラップ８に雨水が流入すると、金属電極１４に通電され、電解によって殺菌効果のある銀イオン、銅イオン等の金属イオンが発生するため、貯水タンク４に流入する雨水はこの金属イオンで除菌され、貯水タンク４の内部で菌や藻が繁殖しないようにでき、経済的で衛生的な散水を行うことができる。
【００２７】
金属電極１４による浄化を行う方式であるから、上述したオゾンを使用するものに比べて、配管や装置の腐食の問題もなく、もちろん塩素系薬剤を注入する方式のようなトリハロゲン生成の問題や薬剤補給の煩わしさがなく、さらには、金属電極１４を水位センサーに兼用して金属電極１４の通電を制御したり、金属電極１４に流れる電流を制御して一定量の金属イオンを発生させ、安定した除菌・浄化効果が発揮させることができ、金属電極１４の電流値によって金属電極１４の定期的な寿命検知を行うこともできる。
【００２８】
また、図４に示すように、雨水トラップ８に水中で殺菌効果のある金属イオンを発生する銀や銅等の金属体１５を設けることによっても、雨水トラップ８に一時貯留される雨水を除菌・浄化してから貯水タンク４に流入させて、貯水するようにできる。なお金属体１５は、雨水との接触面積を大きくするために網状に加工して形成すると良い。
【００２９】
この場合、雨水トラップ８に雨水が流入し、金属体１５が雨水中に浸かると、殺菌効果のある金属イオンを発生するため、金属イオンを発生させるための制御装置が不要となり、より安価に構成できる。
【００３０】
また、雨水トラップ８を水中で殺菌効果のある金属イオンを発生する銀や銅等の金属で形成したり、図５に示すように、雨樋１自体を水中で殺菌効果のある金属イオンを発生する銀や銅等の金属で形成するようにすれば、雨水が雨樋１を流れる間に殺菌性のある金属イオンで殺菌・浄化されながら貯水タンク４に流入させ貯水するようにできる。さらには、貯水タンク４の雨水入り口部にはごみ除けフィルター（図示せず）が設けられるので、このごみ除けフィルターを水中で殺菌効果のある金属イオンを発生する銀や銅等の金属で形成し、貯水タンク４に流入する雨水に殺菌効果のある金属イオンを混入させるようにしても良い。
【００３１】
図６は雨水散水装置のもう一つの実施形態を示すものであり、図１乃至図５と共通する部分には同一符号を付してある。
【００３２】
この雨水散水装置では、貯水タンク４の中に水中で殺菌効果のある金属イオンを発生する銀や銅等の金属で作られた金属電極１４と、水中で殺菌効果のある金属イオンを発生する銀や銅等の金属体１５とのいずれか、若しくは双方を設けるようにしている。金属電極１４は、水に浸かっているときに通電するようにするが、電力会社との季節別時間帯別電灯契約に基づく深夜電力契約時間帯を利用して浄化を行なうべく、通電させるようにすれば、電気料金は安価となる。
【００３３】
この場合も、金属体１５は網状に加工して形成すると良く、貯水タンク４も前述したように、黒色のポリエチレン樹脂の三層構造にして作製して、紫外線を含む光が貯水タンク４内に入らないようにすると、より効果的である。
【００３４】
この場合、貯水タンク４に貯留された雨水に、金属電極１４及び金属体１５から、或いは金属電極１４又は金属体１５から殺菌効果のある金属イオンが混入されるので、貯水タンク４に貯留された雨水が効率よく、かつ確実に除菌・浄化され、貯水タンク４の内部で菌や藻が繁殖しないようにでき、雨水を利用して経済的で衛生的な散水が可能である。
【００３５】
なお、このように貯水タンク４の中に金属電極１４と、金属体１５とのいずれか、若しくは双方を設けるに加えて、更に前述したような雨水トラップ８内に集水された雨水中にオゾンを供給するオゾン供給装置９を設けるか又は雨水トラップ８内に金属電極１４を設けてもよく、或いはその両者を設けてもよい。
【００３６】
以上の実施形態では、散水器６から空気調和装置の室外機７に貯水タンク４からの浄化された水を散水するようにしたが、この室外機７に限らず、建築物や自動車などに散水したり、庭や樹木などへ散水してもよい。
【００３７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３８】
１          雨樋（雨水集水管）
４          貯水タンク
６          散水器
８          雨水トラップ
９          オゾン発生装置
１４        金属電極
１５        金属体
【図１】
0005431056.tif 000002
【図２】
0005431056.tif 000003
【図３】
0005431056.tif 000004
【図４】
0005431056.tif 000005
【図５】
0005431056.tif 000006
【図６】
0005431056.tif 000007